(57)【要約】【課題】簡便に被検体をセッティングすることができ、安全な放射線断層撮影装置を提供する。【解決手段】実施例１の構成では、被検体Ｍの前頭部を保持するヘッドレスト８ａを備えている。これにより、被検体Ｍを仰臥させなくても頭部検査を行うことができるので、被検体Ｍの載置が楽である。また、被検体Ｍを椅子１０に座らせて前頭部をヘッドレスト８ａに当接させるだけで、被検体Ｍの頭部の位置決めが完了となるので、ガントリ１１に被検体Ｍが干渉することのない安全性の高い頭部用放射線断層撮影装置が提供できる。また、被検体Ｍが突発的に移動したとしても、従来構成のように天板から落ちてしまうことがない。【選択図】図１
2011224162.tif 000002
【特許請求の範囲】
【請求項１】
被検体の頭部から透過してきた放射線を検出する放射線検出手段と、
前記放射線検出手段から出力される検出信号を基に画像を生成する画像生成手段と、
座位状態の被検体を載置する保持手段とを備え、
前記保持手段が、被検体が座る椅子と、
被検体の前頭部を保持するヘッドレストとを備えることを特徴とする頭部用放射線断層撮影装置。
【請求項２】
請求項１に記載の頭部用放射線断層撮影装置において、
前記椅子を回転させる椅子回転手段と、前記椅子を前記ヘッドレストに対して接近・離反させる椅子移動手段と、前記椅子回転手段を制御する椅子回転制御手段と、前記椅子移動手段を制御する椅子移動制御手段とを備えることを特徴とする頭部用放射線断層撮影装置。
【請求項３】
請求項１または請求項２に記載の頭部用放射線断層撮影装置において、
前記椅子移動手段は、前記椅子を前記ヘッドレストに接近させる際に、前記椅子を椅子の上部が前記ヘッドレストに近づくように傾斜させて被検体を前傾させ、
前記保持手段が、前頭部が前記ヘッドレストに保持された前傾状態の被検体における胸部を支持する胸部支持部材を更に備えることを特徴とする頭部用放射線断層撮影装置。
【請求項４】
請求項１ないし請求項３のいずれかに記載の頭部用放射線断層撮影装置において、
前記保持手段が、前頭部が前記ヘッドレストに保持された被検体の腕部を支持する腕部支持部材を更に備えることを特徴とする頭部用放射線断層撮影装置。
【請求項５】
請求項１ないし請求項４のいずれかに記載の頭部用放射線断層撮影装置において、
前記保持手段が、前頭部が前記ヘッドレストに保持された被検体の脛部を支持する脛部支持部材を更に備えることを特徴とする頭部用放射線断層撮影装置。
【請求項６】
請求項１ないし請求項５のいずれかに記載の頭部用放射線断層撮影装置において、
前記椅子が、被検体が寄りかかるための背もたれを備えることを特徴とする頭部用放射線断層撮影装置。
【請求項７】
請求項１ないし請求項６のいずれかに記載の頭部用放射線断層撮影装置において、
前記放射線検出手段は、被検体の頭部から発した消滅放射線対を検出する放射線検出器が円環状に配列した検出器リングであることを特徴とする頭部用放射線断層撮影装置。
【発明の詳細な説明】
【技術分野】
【０００１】
本発明は、被検体から放射される消滅放射線を検出して、被検体内の放射性薬剤分布のイメージングを行う放射線断層撮影装置に係り、特に、頭部診断用の頭部用放射線断層撮影装置に関する。
【背景技術】
【０００２】
医療機関には、放射性薬剤の分布をイメージングする放射線断層撮影装置が配備されている。このような放射線断層撮影装置の具体的な構成について説明する。従来の放射線断層撮影装置は、放射線を検出する放射線検出器が円環状に並んで構成される検出器リングが備えられている。この検出器リングは、被検体内の放射性薬剤から互いに反対方向に発する一対の放射線（消滅放射線対）を検出する（特許文献１，特許文献２，特許文献３，特許文献４，特許文献５，特許文献６参照）。
【０００３】
従来の放射線断層撮影装置の具体的な構成について説明する。従来の放射線断層撮影装置５０は、図１１に示すように被検体Ｍを載置する天板５２と、消滅放射線対を検出する検出器リング６２とを備えている。検出器リング６２の開口は天板５２ごと被検体Ｍを挿入できるようになっている。
【０００４】
従来の放射線断層撮影装置５０を用いて、被検体Ｍの頭部における放射性薬剤の分布を知ろうとする場合は、被検体Ｍの頭部が検出器リング６２の開口の内部に存する位置に移動される。そして、被検体Ｍの頭部から放出された消滅放射線対の発生位置をイメージングして放射線断層画像が取得される。この様な放射線断層撮影装置をＰＥＴ(positron emission tomography)装置と呼ぶ。
【０００５】
検査中は被検体Ｍが天板５２に仰臥された状態となっているので、従来の放射線断層撮影装置５０においては、検査開始前に術者が被検体Ｍを天板５２に仰臥させておく必要がある。
【先行技術文献】
【特許文献】
【０００６】
【特許文献１】特開平９−０００５７０号公報
【特許文献２】特開２００１−４６４３９号公報
【特許文献３】特開２０００−２０１９０号公報
【特許文献４】特開２００７−５１９４５１号公報
【特許文献５】特開２００７−２０９４０５号公報
【特許文献６】特開２００３−２８９９７４号公報
【発明の概要】
【発明が解決しようとする課題】
【０００７】
しかしながら、従来の放射線断層撮影装置には次のような問題点がある。すなわち、従来の放射線断層撮影装置には、被検体Ｍを長時間仰臥させなければならず、それにより、撮影作業が困難になる場合がある。
【０００８】
すなわち、被検体Ｍを天板５２に載置させようとする場合、被検体Ｍによっては、自力で天板５２に仰臥できない場合がある。この場合、術者等が被検体Ｍを天板５２に載置することになり、かなりの手間と労力が必要となる。また、肺機能に障害がある被検体Ｍにとっては、仰臥位は負担がかかる体位である。放射線断層撮影装置では、放射線の検出に９０分程度の時間がががるので、このような被検体Ｍにとって、放射線断層撮影は、かなり負担の大きなものとなってしまう。
【０００９】
また、装置の安全性の上でも従来の放射線断層撮影装置には問題がある。すなわち、従来の放射線断層撮影装置では、天板５２を長手方向に移動させることで被検体Ｍの頭部を検出器リング６２の内部に導入する。このとき、被検体Ｍの頭部が検出器リング６２（正確にはそれを覆うガントリ５１）に干渉しないように術者が気を配る必要がある。また、被検体Ｍが突発的に動いてしまうと、被検体Ｍが天板５２から落下してしまうこともありえる。
【００１０】
また、取得される断層像の視認性の上でも従来の放射線断層撮影装置には問題がある。すなわち、従来の放射線断層撮影装置５０では、被検体Ｍの体動により頭部の位置が検査中にズレてしまうことがある。すると、断層像には、検査開始時と終了時で位置が違う被検体Ｍの頭部が写り込んでいることになるので、断層像はボケる。しかも、断層像のボケは特に被検体Ｍの前頭部において顕著である。天板５２は、被検体Ｍの頭部を後頭部側から支持する。従って、被検体Ｍの前頭部は、後頭部に比べて動きやすいのである。また、被検体Ｍの首は、頭部のより後頭部側に位置している。従って、被検体Ｍが首をひねって頭部を動かそうとすると、被検体Ｍの後頭部よりも前頭部の方がより大きく動くのである。このように、被検体Ｍの前頭部は、検査中に位置がズレやすいのである。
【００１１】
この発明は、この様な事情に鑑みてなされたものであって、その目的は、簡便に被検体をセッティングすることができ、安全で視認性の優れた断層像を取得することができる放射線断層撮影装置を提供することにある。
【課題を解決するための手段】
【００１２】
本発明は上述の課題を解決するために次のような構成をとる。
すなわち、本発明に係る頭部用放射線断層撮影装置は、被検体の頭部から透過してきた放射線を検出する放射線検出手段と、放射線検出手段から出力される検出信号を基に画像を生成する画像生成手段と、座位状態の被検体を載置する保持手段とを備え、保持手段が、被検体が座る椅子と、被検体の前頭部を保持するヘッドレストとを備えることを特徴とするものである。
【００１３】
［作用・効果］本発明によれば、座位状態の被検体の頭部について放射線の検出を行う頭部用放射線断層撮影装置となっている。つまり、椅子に座した状態の被検体の頭部が放射線検出手段によって検査されることになる。本発明では、被検体の前頭部を保持するヘッドレストを備えている。これにより、被検体の頭部が保持されが検査中にズレることがない。
【００１４】
また、被検体を仰臥させなくても頭部検査を行うことができるので、被検体の載置が楽である。また、肺機能に障害がある被検体について測定を行おうとする場合に被検体の負担が軽減される。また、被検体を椅子に座らせて前頭部をヘッドレストに当接させるだけで、被検体の頭部の位置決めが完了となるので、ガントリに被検体が干渉することのない安全性の高い頭部用放射線断層撮影装置が提供できる。また、被検体が突発的に移動したとしても、従来構成のように天板から落ちてしまうことがない。
【００１５】
また、上述の構成にすれば、検査中に被検体の前頭部の位置がズレてしまうことがないので、取得される断層像はボケることがない。従って視認性の優れた断層像を取得することができる頭部用放射線断層撮影装置が提供できる。
【００１６】
また、上述の頭部用放射線断層撮影装置において、椅子を回転させる椅子回転手段と、椅子をヘッドレストに対して接近・離反させる椅子移動手段と、椅子回転手段を制御する椅子回転制御手段と、椅子移動手段を制御する椅子移動制御手段とを備えればより望ましい。
【００１７】
［作用・効果］上述の構成によれば、椅子が回転、およびヘッドレストに対して接近・離反する構成となっている。この様な構成とすれば、被検体を頭部用放射線断層撮影装置にセッティングする際に便利である。
【００１８】
また、上述の頭部用放射線断層撮影装置において、椅子移動手段は、椅子をヘッドレストに接近させる際に、椅子を椅子の上部がヘッドレストに近づくように傾斜させて被検体を前傾させ、保持手段が、前頭部がヘッドレストに保持された前傾状態の被検体における胸部を支持する胸部支持部材を更に備えればより望ましい。
【００１９】
［作用・効果］上述の構成によれば、被検体が前傾姿勢の状態で検査が行われる。この様にすると、検査中、被検体の視線は下を向くことになる。仰臥位の場合、被検体の視線は天井を向くことになり、この場合は、被検体の視線が定まらず、被検体が不安に陥りやすい。上述の構成のように、被検体の視線を下に向けるようにすれば、被検体が不安に陥ることなく、被検体の負担の少ない頭部用放射線断層撮影装置が提供できる。また、上述の構成においては、胸部支持部材が設けられているので、被検体が前傾姿勢となっても、胸部支持部材が確実に被検体を支えるので被検体を確実に支持することができる。
【００２０】
また、上述の頭部用放射線断層撮影装置において、保持手段が、前頭部がヘッドレストに保持された被検体の腕部を支持する腕部支持部材を更に備えればより望ましい。
【００２１】
また、上述の頭部用放射線断層撮影装置において、保持手段が、前頭部がヘッドレストに保持された被検体の脛部を支持する脛部支持部材を更に備えればより望ましい。
【００２２】
［作用・効果］上述の構成は、本発明の具体的な態様を表したものとなっている。すなわち、上述のように保持手段に被検体の腕部、脛部を支持する部材を設けるようにすれば、検査中に被検体がこれら部材にもたれることができるので、被検体の負担の少ない頭部用放射線断層撮影装置が提供できる。
【００２３】
また、上述の頭部用放射線断層撮影装置において、椅子が、被検体が寄りかかるための背もたれを備えればより望ましい。
【００２４】
［作用・効果］上述の構成は、本発明の具体的な態様を表したものとなっている。すなわち、上述のように椅子に背もたれを有するようにすれば、被検体を椅子に座らせて待機させる際に被検体がこの背もたれを利用することができるので、被検体の負担の少ない頭部用放射線断層撮影装置が提供できる。
【００２５】
また、上述の頭部用放射線断層撮影装置において、放射線検出手段は、被検体の頭部から発した消滅放射線対を検出する放射線検出器が円環状に配列した検出器リングであればより望ましい。
【図面の簡単な説明】
【００２６】
【図１】実施例１に係る放射線断層撮影装置の構成を説明する機能ブロック図である。
【図２】実施例１に係る各部保持部材の構成を説明する斜視図である。
【図３】実施例１に係る椅子の回転を説明する模式図である。
【図４】実施例１に係る椅子の回転を説明する模式図である。
【図５】実施例１に係る椅子の移動を説明する模式図である。
【図６】実施例１に係る椅子の移動を説明する模式図である。
【図７】実施例１に係る放射線検出器の構成を説明する斜視図である。
【図８】実施例１に係る検出器リングの構成を説明する模式図である。
【図９】実施例１に係る検出器リングの構成を説明する模式図である。
【図１０】実施例１に係る放射線断層撮影装置の動作を説明するフローチャートである。
【図１１】従来構成の放射線断層撮影装置を模式図である。
【実施例１】
【００２７】
＜放射線断層撮影装置の構成＞
以下、本発明に係る放射線断層撮影装置の各実施例を図面を参照しながら説明する。実施例１におけるγ線は、本発明の放射線の一例である。図１は、実施例１に係る放射線断層撮影装置の構成を説明する機能ブロック図である。実施例１に係る放射線断層撮影装置９は、被検体Ｍが座る椅子１０と、椅子１０の背もたれ１０ａをその長手方向（ｚ方向：垂直方向）から導入させる開口を有するガントリ１１と、ガントリ１１の内部に設けられた背もたれ１０ａをｚ方向に導入させるリング状の検出器リング１２とを備えている。検出器リング１２に設けられた開口は、ｚ方向に伸びた円筒形となっている。したがって、検出器リング１２自身もｚ方向に延伸している。検出器リング１２は、被検体Ｍの頭部から発し、透過してきた消滅γ線対を検出する目的で設けられている。検出器リング１２は、本発明の放射線検出手段に相当する。
【００２８】
ガントリ移動機構１３は、ガントリ１１をｚ方向に移動させる目的で設けられている。ガントリ移動制御部１４は、ガントリ移動機構１３を制御する目的で設けられている。
【００２９】
椅子１０は、被検体Ｍが寄りかかるための背もたれ１０ａと被検体Ｍが座るための座板１０ｂとからなっている。ヘッドレスト８ａは、検査中の被検体Ｍの前頭部を保持する目的で設けられている部材であり、胸部支持部材８ｂは、検査中の被検体Ｍの胸部を保持する目的で設けられている部材である。そして、腕部支持部材８ｃは、検査中の被検体Ｍの腕部を保持する目的で設けられている部材であり、脛部支持部材８ｄは、検査中の被検体Ｍの脛部を保持する目的で設けられている部材である。椅子１０，ヘッドレスト８ａ，胸部支持部材８ｂ，腕部支持部材８ｃ，脛部支持部材８ｄは、座位状態の被検体Ｍを載置する保持具７となっている。保持具７のうち、椅子１０以外のヘッドレスト８ａ，胸部支持部材８ｂ，腕部支持部材８ｃ，脛部支持部材８ｄをまとめて各部保持部材８と呼ぶことにする。実施例１の構成において、各部保持部材８を構成する各部材８ａ，８ｂ，８ｃ，８ｄの位置関係は、検査中は変更されない構成となっている。保持具７は、本発明の保持手段に相当する。
【００３０】
図２は、各部保持部材８の外観を示す斜視図である。腕部支持部材８ｃは、右腕用と左腕用の２つが設けられており、同様に脛部支持部材８ｄは、右足用と左足用の２つが設けられている。被検体Ｍの体格に合わせて各部材８ａ，８ｂ，８ｃ，８ｄの位置関係は、検査開始前に微調整できるようになっている。ヘッドレスト８ａと胸部支持部材８ｂとの間には隙間が空いており、この隙間を通じて術者の視界が解放されている。
【００３１】
椅子回転機構１５は、椅子１０をｚ軸を回転軸として回転させる目的で設けられている。図３は、椅子１０が各部保持部材８に対して９０度の向きになっている状態を示している。椅子回転機構１５により椅子１０が回転されると、図４に示すように、椅子１０の背もたれ１０ａが各部保持部材８から遠ざかるように椅子１０が回転される。この図４の状態の椅子１０に被検体Ｍが座っているとすれば、被検体Ｍは、各部保持部材８に向き合うことになる。椅子回転制御部１６は、椅子回転機構１５を制御する目的で設けられている。椅子回転制御部１６は、本発明の椅子回転制御手段に相当し、椅子回転機構１５は、本発明の椅子回転手段に相当する。
【００３２】
椅子移動機構１７は、椅子１０を各部保持部材８に対して接近・離反させる目的で設けられている。椅子移動制御部１８は、椅子移動機構１７を制御する目的で設けられている。図５は、椅子１０と各部保持部材８とが互いに離反した状態を図示している。この状態において椅子１０の座板１０ｂは、検査室の床面と平行となっている。椅子移動制御部１８は、本発明の椅子移動制御手段に相当し、椅子移動機構１７は、本発明の椅子移動手段に相当する。
【００３３】
椅子移動機構１７により、椅子１０が各部保持部材８に対して接近すると、図６に示すように、椅子１０は、各部保持部材８に接近するとともに、椅子１０に座っている被検体Ｍが前のめりになるように椅子１０が傾斜される。すなわち、椅子移動機構１７は、椅子１０を各部保持部材８に接近させる際に、椅子１０を背もたれ１０ａの上部がヘッドレスト８ａに近づくように傾斜させて被検体Ｍを前傾させる。このとき、胸部支持部材８ｂが前傾状態の被検体Ｍにおける胸部を支持するので、前傾状態の被検体Ｍは、確実に各部保持部材８に支持されることになる。
【００３４】
次に、同時計数部２０について説明する。同時計数部２０には、検出器リング１２から出力された検出信号が送られてきている。検出器リング１２に同時に入射した２つのγ線は、被検体内の放射性薬剤に起因する消滅γ線対である。同時計数部２０は、検出器リング１２を構成するシンチレータ結晶Ｃのうちの２つの組み合わせ毎に消滅γ線対が検出された回数をカウントし、この結果を画像生成部２１に送出する。なお、同時計数部２０による検出データの同時性の判断は、クロック１９によって検出データに付与された時刻情報が用いられる。画像生成部２１は、本発明の画像生成手段に相当する。
【００３５】
画像生成部２１では、同時計数部２０の出力を基に消滅γ線対の発生位置がマッピングされた断層画像を取得する。同時計数部２０の出力した検出データは、消滅γ線対を検出した２つのシンチレータ結晶Ｃの位置関係と、２つのシンチレータ結晶Ｃの組合せ毎に記憶される消滅放射線対検出の回数およびの消滅放射線対エネルギー強度を表している。画像生成部２１は、これらの情報から被検体Ｍの内部における消滅γ線対の発生強度をマッピングして断層画像を生成するのである。
【００３６】
検出器リング１２を構成する放射線検出器１の構成について簡単に説明する。図７は、実施例１に係る放射線検出器の構成を説明する斜視図である。放射線検出器１は、図７に示すように放射線を蛍光に変換するシンチレータ２と、蛍光を検出する光検出器３とを備えている。そして、シンチレータ２と光検出器３との介在する位置には、蛍光を授受するライトガイド４が備えられている。
【００３７】
シンチレータ２は、シンチレータ結晶Ｃが３次元的に配列されて構成されている。シンチレータ結晶Ｃは、Ｃｅが拡散したＬｕ２（１−Ｘ）Ｙ２ＸＳｉＯ５（以下、ＬＹＳＯとよぶ）によって構成されている。そして、光検出器３は、どのシンチレータ結晶Ｃが蛍光を発したかという蛍光発生位置を特定することができるようになっているとともに、蛍光の強度や、蛍光の発生した時刻をも特定することができる。また、実施例１の構成のシンチレータ２は、採用しうる態様の例示にすぎない。したがって、本発明の構成は、これに限られるものではない。
【００３８】
検出器リング１２の構成について説明する。実施例１によれば、図８に示すように複数個の放射線検出器１がｚ方向に垂直な平面上の仮想円に配列することで１つの単位リング１２ｂが形成される。この単位リング１２ｂが図９に示すように、ｚ方向に配列されて検出器リング１２が構成される。
【００３９】
なお、放射線断層撮影装置９は、各部を統括的に制御する主制御部４１を備えている。この主制御部４１は、ＣＰＵによって構成され、各種のプログラムを実行することにより、各部１４，１６，１８，１９，２０，２１を実現している。なお、上述の各部はそれらを担当する制御装置に分割されて実現されてもよい。操作卓３５は、術者の放射線断層撮影装置に関する種々の指示を入力させる目的で設けられている。表示部３６は、術者の指示、および断層画像を表示する目的で設けられている。また、設定記憶部３７は、放射線断層撮影装置９の制御に関するパラメータ等の一切を記憶する。
【００４０】
＜放射線断層撮影装置の動作＞
次に、実施例１に係る放射線断層撮影装置の動作について説明する。実施例１の放射線断層撮影装置９で検査を行うには、図１０に示すように、まず被検体Ｍが椅子１０の座板１０ｂに座り、被検体Ｍが椅子１０に載置され（被検体載置ステップＳ１），椅子１０が回転され、被検体Ｍと各部保持部材８とが対面する（椅子回転ステップＳ２）。そして、椅子１０が各部保持部材８に向けて移動され、被検体Ｍの前頭部がヘッドレスト８ａに当接し（椅子移動ステップＳ３），ガントリ１１を下向きに移動させることで被検体Ｍの頭部を検出器リング１２の内部に導入させる（ガントリ移動ステップＳ４）。その後、術者の指示により消滅γ線対の検出が開始され（検出開始ステップＳ５），断層画像が表示部３６に表示される（表示ステップＳ６）。以下、各ステップの詳細について順を追って説明する。
【００４１】
＜被検体載置ステップＳ１，椅子回転ステップＳ２＞
被検体Ｍは、図３に示すように各部保持部材８に対して９０度の向きになっている椅子１０の座板１０ｂに座す。このとき、椅子１０には背もたれ１０ａが設けられているので、被検体Ｍは椅子１０に楽に座ることができる。術者が操作卓３５を通じて椅子１０の回転の指示を行うと、椅子回転機構１５は、椅子１０をｚ軸を中心軸として回転させ、図５に示すように椅子１０の座板１０ｂが各部保持部材８側に向く。このとき被検体Ｍは、各部保持部材８に向き合うことになる。
【００４２】
＜椅子移動ステップＳ３＞
術者が操作卓３５を通じて椅子１０の移動の指示を行うと、椅子移動機構１７は、椅子１０を各部保持部材８に向けて移動させるとともに、椅子１０に座っている被検体Ｍが前のめりになるように椅子１０を傾斜される。すると、図６に示すように、被検体Ｍの前頭部、胸部、腕部、および脛部がヘッドレスト８ａ，胸部支持部材８ｂ，腕部支持部材８ｃ，および脛部支持部材８ｄのそれぞれに当接して支持される。なお、このときのガントリ１１は、被検体Ｍの上部に位置しているので、被検体Ｍが椅子１０の移動によりガントリ１１に衝突することはない。
【００４３】
このとき、被検体Ｍの頭部は、ヘッドレスト８ａによって前頭部側で支持されているので、被検体Ｍの頭部の位置が変更されにくい。つまり、被検体Ｍが首をひねって頭部を動かそうとしても、ヘッドレスト８ａが被検体Ｍの前頭部を押さえ込んでいるので、頭部は動かない。また、被検体Ｍの首は、頭部のより後頭部側に位置しているので被検体Ｍが首をひねるとの後頭部よりも前頭部の方がより大きく動く。しかしながら、ヘッドレスト８ａが大きく動きやすい前頭部の動きを規制しているのであるから、頭部の位置は変更されることはない。
【００４４】
＜ガントリ移動ステップＳ４＞
術者が操作卓３５を通じてガントリ１１の移動を支持すると、被検体Ｍの頭部の上方に位置しているガントリ１１がガントリ移動機構１３によってｚ方向に沿って被検体Ｍの頭部に近づくように移動される。そして、被検体Ｍの頭部はガントリ１１の開口に導入され、頭部が検出器リング１２の内部に存することになる。
【００４５】
このとき、ガントリ１１の移動はヘッドレスト８ａの位置を基準に行われる。すなわち、ガントリ移動機構１３は、ガントリ１１とヘッドレスト８ａの位置関係が所定の位置関係となるようにガントリ１１をヘッドレスト８ａに対して移動させる。このようにヘッドレスト８ａの位置を基準にガントリ１１を移動させれば、被検体Ｍの頭部とガントリ１１とは、ある定まった位置関係となる。被検体Ｍの頭部がヘッドレスト８ａに当接することで、被検体Ｍの頭部の位置がヘッドレスト８ａの位置によって定まるからである。
【００４６】
＜検出開始ステップＳ５，表示ステップＳ６＞
術者が操作卓３５を通じて消滅γ線対の検出の開始を指示すると、検出器リング１２は、被検体Ｍの頭部から発し、透過してきた消滅γ線対の検出を開始する。検出器リング１２は、同時計数部２０を通じ画像生成部２１に検出信号を送出する。画像生成部２１は、この検出信号を基に頭部における放射性薬剤の分布がマッピングされた断層画像を生成する。この断層画像が表示部３６に表示されて検査は終了となる。
【００４７】
以上のように、実施例１の構成は、座位状態の被検体Ｍの頭部について放射線の検出を行う頭部用放射線断層撮影装置となっている。つまり、椅子１０に座した状態の被検体Ｍの頭部が検出器リング１２によって検査されることになる。実施例１の構成では、被検体Ｍの前頭部を保持するヘッドレスト８ａを備えている。これにより、被検体Ｍの頭部が保持され検査中にズレることがない。
【００４８】
また、被検体Ｍを仰臥させなくても頭部検査を行うことができるので、被検体Ｍの載置が楽である。また、肺機能に障害がある被検体Ｍについて測定を行おうとする場合に被検体Ｍの負担が軽減される。また、被検体Ｍを椅子１０に座らせて前頭部をヘッドレスト８ａに当接させるだけで、被検体Ｍの頭部の位置決めが完了となるので、ガントリ１１に被検体Ｍが干渉することのない安全性の高い頭部用放射線断層撮影装置が提供できる。また、被検体Ｍが突発的に移動したとしても、従来構成のように天板から落ちてしまうことがない。
【００４９】
また、上述の構成にすれば、検査中に被検体Ｍの前頭部の位置がズレてしまうことがないので、取得される断層像はボケることがない。従って視認性の優れた断層像を取得することができる頭部用放射線断層撮影装置が提供できる。
【００５０】
上述の構成によれば、椅子１０が回転、およびヘッドレスト８ａに対して接近・離反する構成となっている。この様な構成とすれば、被検体Ｍを頭部用放射線断層撮影装置にセッティングする際に便利である。
【００５１】
そして、上述の構成によれば、被検体Ｍが前傾姿勢の状態で検査が行われる。この様にすると、検査中、被検体Ｍの視線は下を向くことになる。仰臥位の場合、被検体Ｍの視線は天井を向くことになり、この場合は、被検体Ｍの視線が定まらず、被検体Ｍが不安に陥りやすい。上述の構成のように、被検体Ｍの視線を下に向けるようにすれば、被検体Ｍが不安に陥ることなく、被検体Ｍの負担の少ない頭部用放射線断層撮影装置が提供できる。また、上述の構成においては、胸部支持部材８ｂが設けられているので、被検体Ｍが前傾姿勢となっても、胸部支持部材８ｂが確実に被検体Ｍを支えるので被検体Ｍを確実に支持することができる。
【００５２】
上述のように保持具７に被検体Ｍの腕部、脛部を支持する部材を設けるようにすれば、検査中に被検体Ｍがこれら部材にもたれることができるので、被検体Ｍの負担の少ない頭部用放射線断層撮影装置が提供できる。
【００５３】
上述のように椅子に背もたれを有するようにすれば、被検体Ｍを椅子に座らせて待機させる際に被検体Ｍがこの背もたれを利用することができるので、被検体Ｍの負担の少ない頭部用放射線断層撮影装置が提供できる。
【００５４】
本発明は上述の構成に限られることなく、下記のように変形実施することもできる。
【００５５】
（１）実施例の構成における腕部支持部材８ｃの先端に被検体Ｍが握るグリップを有する構成としてもよい。これにより、被検体はより安心して検査に臨むことができる。また、このグリップに脈拍を測定する機能、β線を検出する機能を持たせるようにしてもよい。
【００５６】
（２）実施例の構成のように、ヘッドレスト８ａおよび胸部支持部材８ｂの間に隙間が空いていることを利用して、被検体Ｍにガスマスクを装着させることもできる。術者にガスマスクを装着する検査としては、放射性酸素を被検体Ｍの吸気に導入して、そのトレースを観察する検査などがある。術者にとっては、ガスマスクを水平に移動させることで着脱を行うことができるので被検体が仰臥位となっている場合と比べて、ガスマスクの着脱が容易となる。
【００５７】
（３）実施例の構成のように、ヘッドレスト８ａおよび胸部支持部材８ｂの間に隙間が空いていることを利用して、被検体Ｍの視線の先にモニタなどを設置し、被検体Ｍがモニタを見ながら検査に臨むようにしてもよい。
【００５８】
（４）実施例の構成は、ＰＥＴ装置に限らず、頭部用ＭＲＩ，頭部用ＣＴ装置、頭部用ＳＰＥＣＴなどにも適用できる。
【符号の説明】
【００５９】
７     保持具（保持手段）
８ａ   ヘッドレスト
８ｂ   胸部支持部材
８ｃ   腕部支持部材
８ｄ   脛部支持部材
１０   椅子
１０ａ 背もたれ
１２   検出器リング（放射線検出手段）
１５   椅子回転機構（椅子回転手段）
１６   椅子回転制御部（椅子回転制御手段）
１７   椅子移動機構（椅子移動手段）
１８   椅子移動制御部（椅子移動制御手段）
２１   画像生成部（画像生成手段）
【図１】
2011224162.tif 000003
【図２】
2011224162.tif 000004
【図３】
2011224162.tif 000005
【図４】
2011224162.tif 000006
【図５】
2011224162.tif 000007
【図６】
2011224162.tif 000008
【図７】
2011224162.tif 000009
【図８】
2011224162.tif 000010
【図９】
2011224162.tif 000011
【図１０】
2011224162.tif 000012
【図１１】
2011224162.tif 000013